(57)【要約】接触カードＣ−ＩＭ用の接触アプリケーションＣ−Ａｐｐを有するシステムにおける非接触識別媒体ＲＦ−ＩＭの動作のため、初期化されたコンバータモジュールＣ−ＲＦが読出／書込ステーションとして直列に接続される。このコンバータモジュールは、システムの接触アプリケーションＣ−Ａｐｐとの通信のため、一方で初期化された非接触識別媒体ＲＦ−ＩＭとの非接触通信Ｋ−ＲＦを実行し、他方でホストコンピュータＨへの、またはアプリケーションコンピュータＡｐｐ−ｕＰへの接触カードインターフェイスＳで接触通信Ｋ−Ｃを実行する。コンバータモジュールは、通信規則および情報Ｉ−ＲＦに関する非接触通信Ｋ−ＲＦを、接触情報Ｉ−Ｃを有する接触通信Ｋ−Ｃに翻訳し、逆もまた同様である。これは、既存の接触カードシステムおよび設置への非接触識別媒体ＲＦ−ＩＭの特に簡単で効率的な導入を可能にする。
2004526242.tif 000002
【特許請求の範囲】
【請求項１】
接触カードＣ−ＩＭ用の接触アプリケーションＣ−Ａｐｐを有するシステムにおける非接触識別媒体ＲＦ−ＩＭの動作方法であって、初期化された（Ｉｎｉ）コンバータモジュールＣ−ＲＦが直列に接続され、システムの接触アプリケーションＣ−Ａｐｐとの通信のため、一方で初期化された（Ｉｎｉ）非接触識別媒体ＲＦ−ＩＭとの非接触通信Ｋ−ＲＦを実行し、他方でホストコンピュータＨへの、または接触読出／書込ステーションＣ−ＷＲのアプリケーションコンピュータＡｐｐ−ｕＰへの接触カードインターフェイスＳで接触通信Ｋ−Ｃを実行し、通信規則および情報Ｉ−ＲＦに関して、非接触通信Ｋ−ＲＦを、接触情報Ｉ−Ｃを有する接触通信Ｋ−Ｃに翻訳し、逆もまた同様であることを特徴とする、方法。
【請求項２】
コンバータモジュールＣ−ＲＦは、異なる種類の接触通信Ｋ−Ｃ１、Ｋ−Ｃ２および非接触通信Ｋ−ＲＦ１、Ｋ−ＲＦ２間で通信の種類を選択するための手段ＫＷも含むことを特徴とする、請求項１に記載の方法。
【請求項３】
通信の選択は、アプリケーション（Ｃ１−Ａｐｐ、Ｃ２−Ａｐｐ、ＲＦ１−Ａｐｐ、ＲＦ２−Ａｐｐ）に対応して自動的に実施されることを特徴とする、請求項２に記載の方法。
【請求項４】
通信の選択は、ホストＨの、またはアプリケーションコンピュータＡｐｐ−ｕＰの側からの要求に対応して実施されることを特徴とする、請求項２に記載の方法。
【請求項５】
通信の選択は、識別媒体ＲＦ−ＩＭの側からの要求に対応して実施されることを特徴とする、請求項２に記載の方法。
【請求項６】
コンバータモジュールＣ−ＲＦはインターフェイスＳに直接接続され、初期化された（Ｉｎｉ）読出／書込ステーションＣ−ＲＦ−ＷＲとして実現されることを特徴とする、請求項１に記載の方法。
【請求項７】
コンバータモジュールＣ−ＲＦは、既存の接触読出／書込ステーションＣ−ＷＲに差込み可能な初期化された（Ｉｎｉ）プラグインモジュールＣ−ＲＦ−Ｐｌｕｇとして、および非接触読出ステーションとして実現されることを特徴とする、請求項１に記載の方法。
【請求項８】
コンバータモジュールＣ−ＲＦは、規格化された接触情報Ｉ−Ｃを有する規格化された接触通信Ｋ−Ｃの規則およびプロトコルに従って、割当てられたホストＨまたはアプリケーションコンピュータＡｐｐ−ｕＰからの通信アプリケーションＣ−Ａｐｐによって駆動され、コンバータモジュールＣ−ＲＦは同じ規則およびプロトコルに従って接触アプリケーションＣ−Ａｐｐに応答し、逆もまた同様であることを特徴とする、請求項１に記載の方法。
【請求項９】
コンバータモジュールＣ−ＲＦは、ＩＳＯ、ＩＥＣ、ＩＥＥＥ、ＡＮＳＩ、ＣＥＮまたはＣＥＮＥＬＥＣなどの国内または国際機関に準拠した規格化プロトコルに従って駆動され応答することを特徴とする、請求項８に記載の方法。
【請求項１０】
初期化（Ｉｎｉ、Ｉｎｉ−Ａ）は階層的な認可システムＡの範囲内で定義、管理および実行されることを特徴とする、請求項１に記載の方法。
【請求項１１】
コンバータモジュールＣ−ＲＦから非接触識別媒体ＲＦ−ＩＭへの非接触通信Ｋ−ＲＦの場合の書込プロセス用に、識別媒体内の、および／またはコンバータモジュール上のシ
ャドウメモリ（shad）が利用されることを特徴とする、請求項１に記載の方法。
【請求項１２】
非接触識別媒体ＲＦ−ＩＭにおける接触アプリケーションＣ−Ａｐｐの登録のため、コンバータモジュール、認可素子ＡＥおよび認可情報Ａ−Ｉを有する認可読出／書込ステーションＡ−Ｃ−ＲＦ−ＷＲが利用されることを特徴とする、請求項１に記載の方法。
【請求項１３】
認可情報Ａ−Ｉを含む認可素子ＡＥは認可読出／書込ステーションＡ−Ｃ−ＲＦ−ＷＲに内蔵されていることを特徴とする、請求項１２に記載の方法。
【請求項１４】
認可情報Ａ−Ｉは携帯接触認可媒体Ａ−Ｃ−ＩＭによって認可読出／書込ステーションＡ−Ｃ−ＲＦ−ＷＲへ転送されることを特徴とする、請求項１２に記載の方法。
【請求項１５】
認可情報Ａ−Ｉは携帯非接触認可媒体Ａ−ＲＦ−ＩＭによって認可読出／書込ステーションＡ−Ｃ−ＲＦ−ＷＲへ転送されることを特徴とする、請求項１２に記載の方法。
【請求項１６】
認可情報Ａ−ＩはネットワークＮを介して認可読出／書込ステーションＡ−Ｃ−ＲＦ−ＷＲへ転送されることを特徴とする、請求項１２に記載の方法。
【請求項１７】
接触カードアプリケーションＣ−Ａｐｐおよび接触通信規則を有するシステムにおける初期化された（Ｉｎｉ）非接触識別媒体ＲＦ−ＩＭとの非接触通信Ｋ−ＲＦのためのコンバータモジュールであって、
コンバータモジュールＣ−ＲＦは初期化（Ｉｎｉ）されており、
一方で部分（１）を含み、それはホストコンピュータＨへの、または接触読出／書込ステーションＣ−ＷＲのアプリケーションコンピュータＡｐｐ−ｕＰへの接触カードインターフェイスＳで接触通信Ｋ−Ｃ、Ｉ−Ｃを実行し、
他方で部分（３）を含み、それは非接触識別媒体ＲＦ−ＩＭへの非接触通信Ｋ−ＲＦ、Ｉ−ＲＦを実行し、
部分（２）を翻訳部Ｃ／ＲＦとして含み、それは非接触通信Ｋ−ＲＦ、Ｉ−ＲＦを接触通信Ｋ−Ｃ、Ｉ−Ｃへ翻訳することを特徴とする、コンバータモジュール。
【請求項１８】
コンバータモジュールＣ−ＲＦは、非接触識別媒体ＲＦ−ＩＭとの非接触通信Ｋ−ＲＦのため、アンテナ（５）を有するＲＦ送信機／受信機（４）も含むことを特徴とする、請求項１７に記載のコンバータモジュール。
【請求項１９】
エネルギ貯蔵部（９）が提供されていることを特徴とする、請求項１７に記載のコンバータモジュール。
【請求項２０】
バッテリまたは太陽電池などの自発的な電力供給のための手段が提供されていることを特徴とする、請求項１７に記載のコンバータモジュール。
【請求項２１】
電力制御および増幅のための手段（１０）が提供されていることを特徴とする、請求項１７に記載のコンバータモジュール。
【請求項２２】
コンバータモジュールには、アプリケーションの実行のため、対話装置（１１）が割当てられていることを特徴とする、請求項１７に記載のコンバータモジュール。
【請求項２３】
対話装置（１１）はディスプレイ（１２）、入力キーボード（１３）、生物測定学識別（１４）、ＰＩＮコード（１５）などの要素を含むことを特徴とする、請求項１７に記載のコンバータモジュール。
【請求項２４】
コンバータモジュールには、ホストＨへの直接オンライン接続とは独立してアプリケーションＡｐｐを実行するためにアプリケーションコンピュータＡｐｐ−ｕＰが割当てられていることを特徴とする、請求項１７に記載のコンバータモジュール。
【請求項２５】
ＲＦ送信機／受信機（４）は暗号化（cryp）および／またはシャドウメモリ（shad）を含むことを特徴とする、請求項１８に記載のコンバータモジュール。
【請求項２６】
コンバータモジュールは接触アプリケーションＣ−Ａｐｐへの接触インターフェイスＳを含み、これで非接触読出／書込ステーションＣ−ＲＦ−ＷＲを形成することを特徴とする、請求項１７に記載のコンバータモジュール。
【請求項２７】
非接触読出／書込ステーションＣ−ＲＦ−ＷＲは、インターフェイスＳ（ＲＦ）での非接触アプリケーションＲＦ−Ａｐｐとの非接触通信Ｋ−ＲＦ、Ｉ−ＲＦのためのさらなる手段を含むことを特徴とする、請求項２６に記載のコンバータモジュール。
【請求項２８】
コンバータモジュールは接点（６）を含み、既存の接触読出／書込ステーションＣ−ＷＲに差込み可能なプラグインモジュールＣ−ＲＦ−Ｐｌｕｇとして実現されることを特徴とする、請求項１７に記載のコンバータモジュール。
【請求項２９】
ＲＦ通信部（３、４）はいくつかの独立したアプリケーション（Ａｐｐ１、Ａｐｐ２）を含む非接触識別媒体ＲＦ−ＩＭとの非接触通信のために実現されることを特徴とする、請求項１７に記載のコンバータモジュール。
【請求項３０】
コンバータモジュールＣ−ＲＦはアプリケーションコンピュータＡｐｐ−ｕＰに統合されていることを特徴とする、請求項１７に記載のコンバータモジュール。
【請求項３１】
ホストＨ、接触インターフェイスＳ、接触読出／書込ステーションＣ−ＷＲおよび接触識別媒体Ｃ−ＩＭを有する設置であって、初期化された（Ｉｎｉ）コンバータモジュールＣ−ＲＦが、さらなる初期化された（Ｉｎｉ）非接触識別媒体ＲＦ−ＩＭとの非接触通信のために提供されており、コンバータモジュールＣ−ＲＦは、一方で接触システムのインターフェイスＳへの接触通信Ｋ−Ｃ、Ｉ−Ｃを実行し、他方で非接触識別媒体ＲＦ−ＩＭへの非接触通信Ｋ−ＲＦ、Ｉ−ＲＦを実行し、非接触通信を接触通信に翻訳し、逆もまた同様であることを特徴とする、設置。
【請求項３２】
いくつかの独立したアプリケーション（Ａｐｐ１、Ａｐｐ２）を有する非接触識別媒体ＲＦ−ＩＭが提供され、それはコンバータモジュールＣ−ＲＦを介してアプリケーションと通信する、請求項３１に記載の設置。
【請求項３３】
接触アプリケーションＣ−ＡｐｐおよびインターフェイスＳでの接触通信Ｋ−Ｃ、Ｉ−Ｃを有する接触システムに加え、非接触アプリケーションＲＦ−ＡｐｐおよびインターフェイスＳ（ＲＦ）での非接触通信Ｋ−ＲＦ、Ｉ−ＲＦを有する非接触システムにも、非接触読出ステーションＲＦ−ＷＲと、いくつかの独立したアプリケーションＲＦ−Ａｐｐを含む非接触識別媒体ＲＦ−ＩＭとが提供されていることを特徴とする、請求項３１に記載の設置。
【請求項３４】
すべてのアプリケーションをその中に含む少なくともすべての非接触識別媒体ＲＦ−ＩＭを記録し管理する認可システムが定義されていることを特徴とする、請求項３１に記載の設置。
【請求項３５】
独立した、互いに影響を与えられないアプリケーションを有する非接触識別媒体ＲＦ−ＩＭの利用および登録を確実にする階層的な認可システムＡが定義され、アプリケーションの個別の所有者たちが非接触識別媒体ＲＦ−ＩＭにおいて自分たちのアプリケーションをいつでも自発的にかつ独立して登録でき、変更もできることを特徴とする、請求項３１に記載の設置。
【請求項３６】
局所的および一時的なアクセス制御、情報および通信技術の装置（コンピュータ、映像電話／画像電話）へのアクセス、および、ＩＴアプリケーション（データベース、ネットワーク、暗号化手法）、クレジットカード、チェックカードまたはバリューカードアプリケーションへのアクセスといった、対応する対話装置（１１）を用いたアプリケーションが提供されていることを特徴とする、請求項３１に記載の設置。
【発明の詳細な説明】
【技術分野】
【０００１】
この発明は、請求項１に従った接触カード用接触アプリケーションを有するシステムにおける非接触識別媒体の動作方法と、請求項１７に従ったコンバータモジュールと、請求項３１に従った設置とに関する。
【背景技術】
【０００２】
接触識別媒体を用いた接触カードシステムは広く利用されており、たとえば会社内の或る区域へのアクセスカード、時間管理用、データ施設などの装置を使用するためのアクセス媒体、クレジットカード、および最も多種多様なサービスを得るためのチェックカードまたはバリューカードとして、さまざまな用途について公知である。
【発明の開示】
【発明が解決しようとする課題】
【０００３】
そのようなシステムにおいて非接触識別媒体を利用する立場にもあるということがますます要求または要望されているが、これはとりわけ取扱いに対する、および用途の可能な拡張に関するそれらの優れた利点が利用できるためである。
【０００４】
このため、現時点に至るまでは、非接触通信用のＲＦ読出ステーションを用いる非接触ＲＦアプリケーションがシステムに統合されなければならなかった。これはホスト内の既存の接触システムへの、および読出／書込ステーションでの接触アプリケーションの局所制御装置への通信インターフェイスを必要とし、ＲＦ読出ステーションの特定のコマンドがプログラムされなければならず、電源端子を含むＲＦシステムの物理的統合が実現されなければならない。
【０００５】
これにより、この種の付加的なＲＦ読出ステーションに対する労力および出費は比較的大きくなり、それに応じて高価となる。
【０００６】
非接触識別媒体の導入に対する別の可能性は、双方の通信種類を含む複合媒体の利用からなる。ここでは原則として、接触通信システム用の接触カードが、非接触通信用の非接触識別システムを有する接触カードのフォーマットのカードに統合される。しかしながら、２つの機能を有するこの種の複合カードは精巧で比較的高価であり、ホスト内の２つの異なるシステムの保守整備の問題が依然として残っている。
【０００７】
この発明の目的は、非接触識別媒体を用いた接触カードシステム用にはるかにより単純でより安価な補完物を作ること、および、はるかに少ない労力および出費でそのようなシステムにおける非接触識別媒体の利用を可能にし、非接触システムへの段階的変換も可能にする方法および装置を示すことである。
【課題を解決するための手段】
【０００８】
この目的は請求項１に従った方法および請求項１７に従った装置で達成される。
初期化されたコンバータモジュールにより、初期化された非接触識別媒体との通信は接触通信に変換または翻訳され、それはホストコンピュータへのインターフェイスでそれまでのシステムの接触通信および情報に正確に対応する。つまり、システム用のインターフェイスＳで、接触カードと同様に同一の通信が出現する。これにより、非接触識別媒体用でもある接触読出装置およびホストへのインターフェイスは、接触カード用と全く同じ通信を受信する。つまり、ホスト、接触アプリケーション、接触読出装置および接触動作システムを有する既存のシステムの側では、修正は必要ない。接触カード動作システムはここでは原則としてコンバータモジュールに統合されている。
【０００９】
従属する請求項はこの発明の有利なさらなる展開に関連する。
【発明を実施するための最良の形態】
【００１０】
以下に、図面および例に基づいてこの発明をさらに説明する。
図１ａ−３ａは、識別媒体との非接触通信Ｋ−ＲＦを接触カードシステムの接触通信Ｋ−Ｃに翻訳するため、初期化されたコンバータモジュールＣ−ＲＦによって、初期化された非接触識別媒体ＲＦ−ＩＭを接触カードシステムにおいて動作させるためのこの発明に従った方法を示す。
【００１１】
図１ａは、よく知られた種類の接触カードシステムを示しており、それは接触カード読出／書込ステーションＣ−ＷＲと、アプリケーション媒体としての割当てられた接触識別媒体Ｃ−ＩＭとを有し、その双方は接点６を含んでおり、接触カードシステムはまた、接触カードインターフェイスＳと、接触アプリケーションＣ−Ａｐｐを含むホストコンピュータＨへの配線とを有する。接触媒体Ｃ−ＩＭから読出ステーションＣ−ＷＲを介してホストＨへ、またはアプリケーションコンピュータＡｐｐ−ｕＰ（図１ｂ）内のアプリケーションへ至るまで、通信は接触情報Ｉ−Ｃを有する接触通信Ｋ−Ｃとして起こる。
【００１２】
接触カードＣ−ＩＭを用いたそのような既存の接触システムにおいて、さらにおよび代替的に、非接触識別媒体ＲＦ−ＩＭをそれらの周知の利点および拡張された用途可能性をすべて有するアプリケーション媒体として利用する立場にもあるようにするため、この発明によれば（図２ａ、図３ａによれば）、初期化されたコンバータモジュールＣ−ＲＦが直列に挿入され、それはシステムの接触アプリケーションＣ−Ａｐｐとの通信のため、一方で初期化された非接触識別媒体ＲＦ−ＩＭとのＲＦ通信Ｋ−ＲＦを実行し、他方でホストコンピュータＨへの、または接触読出／書込ステーションＣ−ＷＲのアプリケーションコンピュータＡｐｐ−ｕＰへの接触カードインターフェイスＳで、接触通信Ｋ−Ｃを実施し、通信規則および情報Ｉ−ＲＦに関する非接触通信Ｋ−ＲＦを、接触情報Ｉ−Ｃを有する接触通信Ｋ−Ｃに翻訳し、逆もまた同様である。
【００１３】
これにより、接触カード動作システムは原則的には（少なくとも部分的に）コンバータモジュールに統合される。
【００１４】
これの一変形実施例が図２ａに示されており、ここではコンバータモジュールＣ−ＲＦは、接点６を有する初期化された（Ｉｎｉ）プラグインモジュールＣ−ＲＦ−Ｐｌｕｇとして実現されている。このプラグインモジュールは既存の読出／書込ステーションに差込み可能であり、同時に、初期化された（Ｉｎｉ）非接触識別媒体ＲＦ−ＩＭとの通信用の非接触読出／書込ステーションとして設計される。接触は、接触読出ステーションＣ−ＷＲおよびプラグインモジュールＣ−ＲＦ−Ｐｌｕｇの接点６同士を介して起こる。差込まれた状態で、プラグインモジュールおよび接触読出ステーションはともに、初期化された非接触読出／書込ステーションＣ−ＲＦ−ＷＲを形成する。これにより、接触アプリケーションＣ−Ａｐｐを実行するため、対応する接触通信Ｋ−Ｃおよび情報Ｉ−ＣはコンバータモジュールＣ−ＲＦによって非接触ＲＦ言語に翻訳される。ＲＦ（Ｃ−Ａｐｐ）のＣ−Ａｐｐは非接触通信Ｋ−ＲＦ、Ｉ−ＲＦとして非接触識別媒体ＲＦ−ＩＭへ送信される。
【００１５】
付加的な非接触識別媒体ＲＦ−ＩＭの後続する、または段階的な導入の間、プラグインモジュールＣ−ＲＦ−Ｐｌｕｇを有する既に既存の接触カード読出／書込ステーションＣ−ＷＲは、必要に応じて接触カードＣ−ＩＭおよび非接触媒体ＲＦ−ＩＭの双方に利用されてもよい。たとえば、接触カード読出ステーションＣ−ＷＲが装備されたキャッシュレジスタ端末を数台有するショッピングセンターでは、非接触識別媒体の段階的な導入のため、個々のキャッシュレジスタ端末がプラグインモジュールＣ−ＲＦ−Ｐｌｕｇによって改良されてもよい。つまり、非接触識別媒体での支払を希望する購買者が増加するにつれて、対応して改良された非接触読出／書込ステーションが簡単な方法でより多く利用可能となってもよい。
【００１６】
初期化されたプラグインモジュールＣ−ＲＦ−Ｐｌｕｇはまた、接触カード読出／書込ステーションＣ−ＷＲに完全に導入される第１の部分と、読出ステーションＣ−ＷＲの外側に取付けられて非接触識別媒体ＲＦ−ＩＭとの通信Ｋ−ＲＦを実行する第２の部分との２つの部分で実現されてもよい。
【００１７】
図３ａは、さらなる変形として、接触通信Ｋ−Ｃ、Ｉ−Ｃを有するインターフェイスＳに配線７によって直接接続され、統合されたＲＦ送信機／受信機とともに初期化された（Ｉｎｉ）非接触読出／書込ステーションＣ−ＲＦ−ＷＲを形成するコンバータモジュールＣ−ＲＦを示す。コンバータモジュールＣ−ＲＦおよび非接触読出／書込ステーションＣ−ＲＦ−ＷＲの設計は、図５に関連してさらに説明する。
【００１８】
接触システムＣと非接触システムＲＦとの互換性をもたらすための初期化Ｉｎｉは、識別媒体ＲＦ−ＩＭ上で、およびＲＦ読出ステーションで、つまり、コンバータモジュールＣ−ＲＦ自体またはそれとともに形成された読出／書込ステーションＣ−ＲＦ−ＷＲの他の部分上で、もしくはプラグインモジュールＣ−ＲＦ−Ｐｌｕｇ上で実施されなければならない。この初期化は、図１２および図１３に関連してより詳細に説明する。
【００１９】
図１ｂ−３ｂは図１ａ−３ａに類似した例を示しているが、ここでは、ホストＨへの直接オンライン接続とは独立してアプリケーションＣ−Ａｐｐを実行するため、および、アプリケーションＣ−Ａｐｐの分散化された局所機能を、図２ｂに従った初期化されたプラグインモジュールＣ−ＲＦ−Ｐｌｕｇを有するステーションで、または図３ｂに従った初期化された非接触読出／書込ステーションＣ−ＲＦ−ＷＲで実行するために、アプリケーションコンピュータＡｐｐ−ｕＰがＣ−ＲＦに割当てられている。
【００２０】
図４ａは、非接触読出／書込ステーションＣ−ＲＦ−ＷＲにおけるコンバータモジュールＣ−ＲＦを示し、それは、たとえば非接触アプリケーションＲＦ−Ａｐｐを有するホストＨへのインターフェイスＳ（ＲＦ）での非接触アプリケーションＲＦ−Ａｐｐとの非接触通信Ｋ−ＲＦ、Ｉ−ＲＦのためのさらなる手段を含む。必要であれば、コンバータモジュールＣ−ＲＦは（異なる接触動作システムを有する）数種類の接触通信、ここではたとえば２種類の接触通信Ｋ−Ｃ１およびＫ−Ｃ２を処理することも可能である。このため、コンバータモジュールＣ−ＲＦはここでは、異なる接触通信Ｋ−Ｃ１、Ｋ−Ｃ２および非接触通信Ｋ−ＲＦ間で通信の種類を選択するための手段ＫＷも含む。この選択手段ＫＷにより、双方向、つまりホストから識別媒体ＲＦ−ＩＭへ、および識別媒体からホストへまたはアプリケーションへという方向での正しく必要とされる種類の通信が選択され、翻訳されて送信される。異なる種類のＲＦ通信Ｋ−ＲＦ１、Ｋ−ＲＦ２も可能である。
【００２１】
そうする際、通信の種類の選択は、アプリケーションの種類（Ｃ１−Ａｐｐ、Ｃ２−Ａｐｐ、ＲＦ１−Ａｐｐ、ＲＦ２−Ａｐｐ）に対応して自動的に起こってもよく、あるいはそれは設定可能であってもよい。
【００２２】
通信の種類の選択は、ホストＨの側からの、またはアプリケーションコンピュータＡｐｐ−ｕＰからの要求に対応して起こってもよく、他方、それはまた、識別媒体ＲＦ−IＭの側からの要求に対応して起こってもよい。
【００２３】
異なる動作システムＫ−Ｃ１、Ｋ−Ｃ２は、たとえば（銀行１、銀行２、郵便局の）チェックカード、またはバリューカード、もしくはクレジットカードの異なる提供者によって利用されてもよく、または会社が独自の会社用用途（アクセス、ＩＴアクセス、食堂など）用に利用してもよい。
【００２４】
図４ａの例は、ホストＨ内の対応するアプリケーションＣ１−Ａｐｐ、Ｃ２−Ａｐｐ、およびＲＦ−Ａｐｐとの３種類の通信Ｋ−Ｃ１、Ｋ−Ｃ２、Ｋ−ＲＦを示す。選択手段ＫＷはここでは、接触通信種類Ｋ−Ｃ１、Ｋ−Ｃ２を有する接触アプリケーションＣ１−Ａｐｐ、Ｃ２−ＡｐｐがＲＦ言語に翻訳され、ＲＦ通信の状態でＲＦ（Ｃ１−Ａｐｐ）、またはＲＦ（Ｃ２−Ａｐｐ）として非接触識別媒体ＲＦ−ＩＭに送信され、逆もまた同様であることを確実にする。逆に、ホストへのインターフェイスＳ（ＲＦ）で非接触通信Ｋ−ＲＦおよびＩ−ＲＦを有する非接触アプリケーションＲＦ−Ａｐｐは、翻訳を全く必要としない。そこでは、ＲＦアプリケーションの実行のため、非接触通信Ｋ−ＲＦ、Ｉ−ＲＦは通信選択手段ＫＷによって双方向に直接伝えられる。
【００２５】
有利なことに、接触システムは規格化された種類の通信を利用している。そうする際、コンバータモジュールＣ−ＲＦは、規格化された接触情報Ｉ−Ｃを有する規格化された接触通信Ｋ−Ｃの規則およびプロトコルに従って、割当てられたホストＨまたはアプリケーションコンピュータＡｐｐ−ｕＰからの接触アプリケーションＣ−Ａｐｐから駆動される。コンバータモジュールＣ−ＲＦは同じ規則およびプロトコルに従って接触アプリケーションＣ−Ａｐｐに応答する。
【００２６】
コンバータモジュールＣ−ＲＦは、ＩＳＯ、ＩＥＣ、ＩＥＥＥ、ＡＮＳＩ、ＣＥＮまたはＣＥＮＥＬＥＣなどの国内または国際機関に準拠した規格化プロトコルに従って駆動され応答してもよい。
【００２７】
図４ｂは、ホストＨへの一時的な接続を有する非接触読出／書込ステーションＣ−ＲＦ−ＷＲ内にアプリケーションコンピュータＡｐｐ−ｕＰを有する例を示しており、アプリケーションコンピュータＡｐｐ−ｕＰのアプリケーションは、分散化して、つまりホストＨとは独立して実行可能である。この例は、いくつかのアプリケーションＣ−Ａｐｐ１、Ｃ−Ａｐｐ２との接触通信Ｋ−Ｃの一種と、いくつかのアプリケーションＲＦ−Ａｐｐ１、ＲＦ−Ａｐｐ２、ＲＦ−Ａｐｐ３とのＲＦ通信Ｋ−ＲＦの一種とを含む。したがって、選択手段ＫＷはここでは、通信種類Ｋ−ＣとＫ−ＲＦとを区別する。
【００２８】
図５ａおよび図５ｂは、この発明に従ったコンバータモジュールＣ−ＲＦの構造を示す。コンバータモジュールは以下の３つの部分を含む。
【００２９】
−  一方で部分１を含み、それはホストコンピュータＨへの、または読出／書込ステーションＣ−ＷＲのアプリケーションコンピュータＡｐｐ−ｕＰへの接触カードインターフェイスＳで接触通信Ｋ−Ｃ、Ｉ−Ｃを実行する。
【００３０】
−  他方で部分３を含み、それは非接触識別媒体ＲＦ−ＩＭへの非接触通信Ｋ−ＲＦ、Ｉ−ＲＦを実行する。
【００３１】
−  部分２を翻訳部Ｃ−ＲＦとして含み、それは非接触通信Ｋ−ＲＦ、Ｉ−ＲＦを接触通信Ｋ−Ｃ、Ｉ−Ｃに翻訳する。
【００３２】
非接触識別媒体ＲＦ−ＩＭとの非接触通信Ｋ−ＲＦを実施するため、コンバータモジュールＣ−ＲＦはまた、アンテナ５を有するＲＦ送信機／受信機４も含む。
【００３３】
図５ａの例は、接点６を有し、所望の接触読出／書込ステーションＣ−ＷＲに適合されたプラグインモジュールＣ−ＲＦ−ＰｌｕｇにおけるコンバータモジュールＣ−ＲＦを示している。
【００３４】
図５ｂの例は、統合されたアプリケーションコンピュータＡｐｐ−ｕＰを有し、およびたとえば対応するアプリケーション用に２種類の接触通信Ｋ−Ｃ１、Ｋ−Ｃ２とＲＦ通信Ｋ−ＲＦとを有する非接触読出／書込ステーションＣ−ＲＦ−ＷＲにおけるコンバータモジュールＣ−ＲＦを示している。
【００３５】
部分１＝Ｃ通信部、部分２＝Ｃ／ＲＦ翻訳部、および部分３＝ＲＦ通信部を有するコンバータモジュールＣ−ＲＦは、機能的な一構成要素として実現される必要はない。これらの部分１、２、３は、必要であれば、いくつかの下位構成要素を含む別個の構成要素として実現されてもよい。たとえば、部分３、または部分３および４が１つの構成要素を形成してもよい。そうする際、部分３はまた、初期化情報Ｉｎｉ−Ｉ、Ｉｎｉ−Ａ−Ｉを処理するかまたはそれを含み、これにより認可システムＡの初期化規格および規則の遵守を確実としてもよい（図１２および図１３参照）。
【００３６】
図６は割当てられた非接触識別媒体ＲＦ−ＩＭを示し、それはそのメモリ内にいくつかの独立したアプリケーションを含む。ここでは、たとえば、ＲＦ言語での接触アプリケーションＲＦ（Ｃ１−Ａｐｐ１）、ＲＦ（Ｃ１−Ａｐｐ２）およびＲＦ（Ｃ２−Ａｐｐ１）を有する２種類の接触通信Ｋ−Ｃ１、Ｋ−Ｃ２と、ＲＦ通信Ｋ−ＲＦにおける非接触アプリケーションＲＦ−Ａｐｐ１、ＲＦ−Ａｐｐ２、ＲＦ−Ａｐｐ３とを含む。
【００３７】
コンバータモジュールＣ−ＲＦと非接触識別媒体ＲＦ−ＩＭとの間の送信された情報Ｉ−ＲＦを有する非接触通信Ｋ−ＲＦを防護するため、好ましくは、通信Ｋ−ＲＦの暗号化crypが実施される。
【００３８】
コンバータモジュールＣ−ＲＦから非接触識別媒体ＲＦ−ＩＭへの非接触通信Ｋ−ＲＦの場合の書込プロセス用に、好ましくは、図５および図６に示すように、シャドーメモリshadが識別媒体内およびコンバータモジュール上で利用される。
【００３９】
暗号化crypは、第三者による不正モニタリングおよび不正介入に対して防護する役割を果たす。シャドーメモリshadにより、書込プロセスが完全にかつ正しく実行される（または全く実行されない）こと、および、たとえば通信遮断の場合にデータ損失またはエラーが生じないことが確実になる。これらの方法はたとえばＷＯ９７／３４２６５に記載されている。
【００４０】
図４ａおよび図５ａは、コンバータモジュールＣ−ＲＦに割当てられたエネルギ貯蔵部９および電力増幅器１０を有する非接触読出／書込ステーションを示す。これはより高い送信電力を可能にし、また、非接触読出／書込ステーションの分散化された自発的な動作も可能にする。図５ａでは、プラグインモジュールＣ−ＲＦ−Ｐｌｕｇの電源８は、好ましくは、接点６を介して接触カード読出ステーションＣ−ＷＲへ実施される。そうする際、比較的低い電力しか引かれないことがしばしばある。しかしながら、非接触識別媒体ＲＦ−ＩＭとの通信およびアプリケーションの実行のためには、より高い電力が必要となる、または望ましい場合がある。このため、エネルギ貯蔵部９が提供されており、それは送信中断中に継続的にエネルギを収集する。電力増幅器１０により、非接触通信およびアプリケーションの実行のために必要とされるより高い送信電力が生成可能となる。
【００４１】
コンバータモジュール、または読出／書込ステーションは、バッテリまたは太陽電池などの自発的な電力提供のための手段も含んでいてもよい。これにより、たとえば、図４ｂなどにおけるアプリケーションを有するアプリケーションコンピュータＡｐｐ−ｕＰを含む分散化されたステーションもオフラインで動作可能である。ここでは、局所機能はアプリケーションコンピュータに、基本機能はホストに含まれていてもよい。
【００４２】
アプリケーションの実行のため、図４ａおよび図５ａに示すように、対応する対話装置１１がコンバータモジュールＣ−ＲＦへ、または非接触読出／書込ステーションへ割当てられてもよく、それはたとえば、ディスプレイ１２、入力キーボード１３、生物測定学センサおよび識別要素１４、およびアクセス認可用のＰＩＮコード１５を含む。図５ａの例は対話装置１１を有するプラグインモジュールＣ−ＲＦ−Ｐｌｕｇを示す。これらの対話装置および割当てられたアプリケーションはまた、このプラグインモジュールが差込まれる接触カード読出／書込ステーションＣ−ＷＲの機能を超えて拡張されてもよい。つまり、新しい拡張された機能または対話装置が可能である。
【００４３】
図７−１０により、非接触識別媒体ＲＦ−ＩＭにおける新しい、変更された、または拡張された接触アプリケーションＣ−Ａｐｐの登録または初期化を示す。この登録用に、コンバータモジュール、認可要素ＡＥおよび認可情報Ａ−Ｉを有する認可読出／書込ステーションＡ−Ｃ−ＲＦ−ＷＲ（または初期化読出／書込ステーション）が採用される。新しいアプリケーションおよび新しい識別媒体の登録または初期化についての規則は、（図１３、図１４に関連して説明される）認可システムにおいて定義される。図７は、非接触識別媒体ＲＦ−ＩＭに登録するためのそのような新しいアプリケーションの可能な源を示す。これらの新しいアプリケーションＣ−Ａｐｐは、たとえば、接触識別媒体Ｃ−ＩＭ内、ホストＨ内、またはアプリケーションコンピュータＡｐｐ−ｕＰ内に記憶されてもよい。
【００４４】
図８−１０は、新しいアプリケーションの登録または初期化についての実施例の可能な変形を示す。図８の例によれば、認可情報Ａ−Ｉは携帯非接触認可媒体Ａ−ＲＦ−ＩＭ内に含まれ、そこから認可読出／書込ステーションＡ−Ｃ−ＲＦ−ＷＲの認可要素ＡＥ−ＲＦヘ転送される。この認可情報Ａ−Ｉおよび認可要素ＡＥにより、次に、新しい接触アプリケーションＣ−ＡｐｐがコンバータモジュールＣ−ＲＦにおいて非接触通信Ｋ−ＲＦ、Ｉ−ＲＦに翻訳され、翻訳された接触アプリケーションＲＦ（Ｃ−Ａｐｐ）として非接触識別媒体ＲＦ−ＩＭに登録される。
【００４５】
図９は、認可情報Ａ−Ｉが携帯接触認可媒体Ａ−Ｃ−ＩＭによって、認可読出／書込ステーションＡ−Ｃ−ＲＦ−ＷＲの認可要素ＡＥ−Ｃへ転送されている一例を示す。
【００４６】
図１０は、認可情報Ａ−Ｉを含む認可要素ＡＥが認可読出／書込ステーションＡ−Ｃ−ＲＦ−ＷＲに内蔵または統合されているさらなる変形を示す。図１０はまた、認可情報Ａ−ＩがネットワークＮを介して認可読出／書込ステーションＡ−Ｃ−ＲＦ−ＷＲへ転送されているさらなる変形も示す。それはまた、安全な私用ネットワークを介して、または対応する暗号化とともに公共ネットワークＮを介して転送されてもよい。
【００４７】
これらの異なる可能性が表わすように、要件およびアプリケーションに依存して、新しいアプリケーションの初期化または登録のために特に好適な変形が選択されてもよい。もちろん、これらの組合せ、たとえば、認可情報Ａ−Ｉの一部はネットワークＮを介して中央ステーションから送りこまれ、一方、認可情報の残りはたとえば認可媒体を用いて局所的に送りこまれるといったことも考えられる。
【００４８】
図１１は、この発明の特に効率的なさらなる一実施例として、アプリケーションコンピュータを有する非接触読出／書込ステーションＣ−ＲＦ−ＷＲを示しており、ここではコンバータモジュールＣ−ＲＦはアプリケーションコンピュータＡｐｐ−ｕＰに統合され、２つの必要な別個のコンピューティングチップとはなっていない。これは特に安価で効率的な省スペースの製造を可能にする。ここでは、アプリケーションコンピュータはアプリケーションＣ−Ａｐｐを含むこともできる。
【００４９】
図１２に関し、非接触識別媒体ＲＦ−ＩＭおよび読出ステーションＣ−ＲＦ−ＷＲ，Ｃ−ＲＦ−Ｐｌｕｇの初期化により、接触システムＣと非接触システムＲＦとの互換性が確立される。
【００５０】
図１２ａ、図１２ｂ、図１２ｃは、読出ステーションＣ−ＲＦ−ＷＲおよびプラグインモジュールＣ−ＲＦ−Ｐｌｕｇの、またはコンバータモジュールＣ−ＲＦの初期化に対するさまざまな可能性を示す。ここでは初期化は、コンバータモジュールＣ−ＲＦ自体または完全な読出ステーションＣ−ＲＦ−ＷＲ、Ｃ−ＲＦ−Ｐｌｕｇに含まれていてもよい。図１２ａによれば、この初期化Ｉｎｉは非接触初期化識別媒体Ｉｎｉ−ＲＦ−ＩＭを介して起こってもよく、そこから初期化情報Ｉｎｉ−Ｉが読出ステーションＣ−ＲＦ−ＷＲに登録される。認可システムＡの範囲内において定義されていない一般的な初期化情報Ｉｎｉ−Ｉにより、読出／書込ステーションは、初期化された読出／書込ステーションＣ−ＲＦ−ＷＲ（Ｉｎｉ）になる。階層的な認可システムＡの範囲内において定義され管理される初期化により、読出／書込ステーションは、対応する初期化情報Ｉｎｉ−Ａ−Ｉを介して、初期化された読出／書込ステーションＣ−ＲＦ−ＷＲ（Ｉｎｉ−Ａ）になる。
【００５１】
図１２ｂによれば、初期化は初期化接触媒体Ｉｎｉ−Ｃ−ＩＭを介して起こる。
図１２ｃによれば、読出／書込ステーションＣ−ＲＦ−ＷＲの初期化はネットワークＮを介して起こってもよく、それを介して初期化情報Ｉｎｉ−ＩまたはＩｎｉ−Ａ−Ｉが読出／書込ステーションＣ−ＲＦ−ＷＲへ転送される。
【００５２】
図１３は、非接触識別媒体ＲＦ−ＩＭ、および読出ステーション、つまりコンバータモジュールＣ−ＲＦまたはプラグインモジュールＣ−ＲＦ−Ｐｌｕｇおよび読出／書込ステーションＣ−ＲＦ−ＷＲの初期化を示す。これらの初期化Ｉｎｉは一般的なシステム初期化を表わしていてもよく、または、階層的な認可システムＡ（図１２ａ−ｃ参照）の範囲内で、および、さらに下位認可システムＵＡの範囲内でも起こってもよい。
【００５３】
この例では、認可システムＡの範囲内の２つの下位認可システムＵＡ１およびＵＡ２が示されている。
【００５４】
図１３は上から下の順で以下を示す。
−  非接触識別媒体ＲＦ−ＩＭ（Ｉｎｉ）との通信のための、プラグインモジュールＣ−ＲＦ−Ｐｌｕｇ（Ｉｎｉ）の一般的な初期化Ｉｎｉ（認可システムＡの範囲内では起こらない）。この種の一般的な初期化は、たとえば識別媒体ＲＦ−ＩＭおよび読出ステーションＣ−ＲＦ−ＷＲならびにＣ−ＲＦ−Ｐｌｕｇの独自の製造番号を介して起こってもよい。
【００５５】
−  識別媒体ＲＦ−ＩＭ（Ｉｎｉ−ＵＡ１）との通信、および、接触システムＣの拡張前に下位認可システムＵＡ１の範囲内の非接触システムＲＦ内で既に利用されており、したがって既に暗に初期化されている識別媒体ＲＦ−ＩＭ（ＵＡ１）との通信のための、認可システムＡの範囲内かつ下位認可システムＵＡ１の範囲内でのプラグインモジュールＣ−ＲＦ−Ｐｌｕｇ（Ｉｎｉ−ＵＡ１）またはコンバータモジュールＣ−ＲＦ（Ｉｎｉ−ＵＡ１）の初期化Ｉｎｉ−ＵＡ１。
【００５６】
−  第２の下位認可システムＵＡ２の範囲内でのさらなる初期化Ｉｎｉ−ＵＡ２。ここでは、プラグインモジュールＣ−ＲＦ−Ｐｌｕｇ（Ｉｎｉ−ＵＡ１、ＵＡ２）および読出／書込ステーションＣ−ＲＦ−ＷＲ（Ｉｎｉ−ＵＡ１、ＵＡ２）が、双方の下位認可システムＵＡ１およびＵＡ２の範囲内で初期化されている。この状況での例は、ＵＡ１およびＵＡ２の範囲内で初期化された識別媒体ＲＦ−ＩＭ（Ｉｎｉ−ＵＡ１、ＵＡ２）、および下位認可システムＵＡ２の範囲内でのみ初期化された識別媒体ＲＦ−ＩＭ（Ｉｎｉ−ＵＡ２）を示している。
【００５７】
−  一番下には、純然たる非接触読出／書込ステーションＲＦ／ＷＲ（ＵＡ１）および対応する識別媒体ＲＦ−ＩＭ（ＵＡ１）があり、それらは非接触システムＲＦ内で通信するが、接触システムＣとは通信しない。
【００５８】
アプリケーション例
２人の個別のユーザが、既存の接触システムに付加的な非接触識別媒体ＲＦ−ＩＭ、対応するアプリケーションおよびプラグインモジュールＣ−ＲＦ−Ｐｌｕｇを装備することを望んでいる。これら個別のユーザ各々にそれぞれ下位認可システムＵＡ１、ＵＡ２が割当てられ、彼らはそれぞれ独立したアプリケーションＡｐｐ１をＵＡ１において、Ａｐｐ２をＵＡ２において設計できる。
【００５９】
彼らは２つの新しい顧客ボーナスアプリケーションＡｐｐ１をＵＡ１に、Ａｐｐ２をＵＡ２に導入した。加えて、アプリケーションＡｐｐ２の場合の値引きは、顧客がアプリケーションＡｐｐ１にも参加する場合にはより大きくなるが、逆の場合にはそうはならないものとした。したがって、Ａｐｐ１にのみ参加する顧客はＡｐｐ２を有するカードを必要としない。つまり、識別媒体ＲＦ−ＩＭ（Ａｐｐ１／ＵＡ１）で十分である。それに応じて、双方の下位認可システムの範囲内で初期化されたプラグインモジュールＣ−ＲＦ−Ｐｌｕｇ（ＵＡ１、ＵＡ２）がそれらの全店舗に装備されてもよく、または、１つの下位認可システムＵＡの範囲内でのみ認可された、要件に従ったプラグインモジュールが店舗に装備されてもよい。１つの下位認可システムのみの範囲内での初期化は、アプリケーションの独立性を維持するための付加的な機密保護措置を形成する。これはまた、双方の下位認可システムの範囲内で初期化された識別媒体ＲＦ−ＩＭ（Ａｐｐ１／ＵＡ１、Ａｐｐ２／ＵＡ２）を全顧客に提供することを可能とする。なぜなら、多数の識別媒体ＲＦ−ＩＭよりも読出ステーションＣ−ＲＦ−Ｐｌｕｇを再装備する方がより安いためである。
【００６０】
図１４に従った概略的に示された設置により、この発明および非接触読出／書込ステーションのコンバータモジュールＣ−ＲＦに従った方法の全般的な適用性をさらに示す。この設置は、アプリケーションＡｐｐと、読出／書込−／読出ステーションＷＲと、識別媒体ＩＭとを有するホストコンピュータＨを含む。図１４は（上から下へ）、割当てられた初期化された非接触読出／書込ステーションＣ−ＲＦ−ＷＲまたＣ−ＲＦ−Ｐｌｕｇを用いた、初期化された非接触識別媒体ＲＦ−ＩＭの可能な段階的導入と、接触通信Ｋ−Ｃを用いる元の接触カードシステムの、非接触識別媒体ＲＦ−ＩＭおよび非接触通信Ｋ−ＲＦ、Ｉ−ＲＦを用いる非接触システムへの可能な部分的または完全な変換に至るまでのアプリケーションの拡大または拡張とを示す。可能な拡張段階におけるこの設置は、上から下へ、接触アプリケーションＣ−Ａｐｐを有するホストコンピュータＨ、接触通信Ｋ−Ｃ、Ｉ−Ｃを有する接触インターフェイスＳ、それを補完する読出／書込ステーションＷＲのアプリケーションコンピュータＡｐｐ−ｕＰ内の接触アプリケーションＣ−Ａｐｐを示している。これらは、非接触アプリケーションＲＦ−Ａｐｐと、非接触通信Ｋ−ＲＦ、Ｉ−ＲＦを有する非接触インターフェイスＳ（ＲＦ）とを有するホストコンピュータによって補完可能である。
【００６１】
割当てられた読出／書込ステーションＷＲに関し、まず（たとえば図１ａ、図１ｂに従った）接触カード読出／書込ステーションＣ−ＷＲを有する純然たる接触カードシステムから出発する。これは、
−（たとえば図２ａ、図２ｂに従った）既存の接触カード読出ステーションに差込み可能な初期化されたプラグインモジュールＣ−ＲＦ−Ｐｌｕｇ、
−（図３ａ、図３ｂに従った）初期化された非接触読出／書込ステーションＣ−ＲＦ−ＷＲ、
−（図４ｂ、図５ｂに従った）組合わされたステーションＣ−ＲＦ−ＷＲおよびＲＦ−ＷＲ、
−  最後に（必要なコンバータモジュールＣ−ＲＦがない）純然たる非接触読出／書込ステーションＲＦ−ＷＲを用いて補完される。
【００６２】
識別媒体に関し、可能な拡張段階３１−３５を示す。
既存の設置は接触識別媒体Ｃ−ＩＭのみを含む。
【００６３】
この発明によれば、段階３１で、ＲＦ言語での接触アプリケーションＲＦ（Ｃ−Ａｐｐ）を有するさらなる初期化された非接触識別媒体ＲＦ−ＩＭが導入される。
【００６４】
段階３２では、いくつかの接触アプリケーションＲＦ（Ｃ−Ａｐｐ１）、ＲＦ（Ｃ−Ａｐｐ２）を含むＲＦ−ＩＭ媒体が導入される。
【００６５】
段階３３では、（たとえば異なる個別のオペレータの）異なる種類の接触通信Ｋ−Ｃ１、Ｋ−Ｃ２を有する２種類以上の接触アプリケーションＲＦ（Ｃ１−Ａｐｐ）、ＲＦ（Ｃ２−Ａｐｐ）を含むＲＦ−ＩＭ媒体が導入される。
【００６６】
段階３４では、接触アプリケーションＲＦ（Ｃ−Ａｐｐ）に加え、純然たる非接触アプリケーションＲＦ−Ａｐｐも含むＲＦ−ＩＭ媒体が導入される。
【００６７】
最後に段階３５では、非接触アプリケーションＲＦ−Ａｐｐのみを含む非接触識別媒体ＲＦ−ＩＭが導入される。
【００６８】
記載されたこれらの拡張段階３１−３５は、原則的には、いかなる非接触識別媒体ＲＦ−ＩＭ上でも実現可能であり、そこでは新しいアプリケーションが導入され、古いアプリケーションは削除される。つまり、非接触識別媒体を交換する必要はない。
【００６９】
非接触識別媒体ＲＦ−ＩＭおよびそこに含まれるアプリケーションに関する（利用される媒体の数にも関する）この拡張と並行して、割当てられた読出／書込ステーションももちろん拡張されてもよく、必要であれば段階的に交換されてもよい。
【００７０】
これは、ホストのレベルでのシステムにおける接触カード通信の規則およびプロトコルを非接触通信の規則およびプロトコルに書換える必要なく、接触カードアプリケーションを有するシステムの非接触システムへの段階的変換をもたらす。
【００７１】
非接触識別媒体ＲＦ−ＩＭの導入についてのこの発明に従った新しい方法は、以下の本質的な利点を含む。
【００７２】
−  既存の接触システムを引続き利用してもよい。
−  それに応じてコストが低く、わずかな投資ステップしか必要としない。導入中のミス、および失敗の危険性が大幅に減少する。
【００７３】
−  たとえばプラグインモジュールＣ−ＲＦ−Ｐｌｕｇを用いた拡張ステップを一時的に設定し、試験し、また、交換し再度変更することもできる。
【００７４】
−  要件および必要性に依存して、ほとんどどの拡張および適応ステップも可能であり、これはアプリケーションにも関する。
【００７５】
とりわけ重要な利点は、非接触識別媒体ＲＦ−ＩＭがいくつかの、特にいくつかの独立したアプリケーションを含んでいてもよく、これがまた、数種類の接触通信および非接触通信（Ｋ−Ｃ１、Ｋ−Ｃ２およびＫ−ＲＦ１、Ｋ−ＲＦ２）も含むということである。ユーザにとって、この種の識別媒体を用いて自分の必要な用途分野向けのいくつかのアプリケーションをカバーできるということ、およびこれが原則としてどの組合せでもよいということは重要である。
【００７６】
適切な対話装置１１を有する対応する非接触読出／書込ステーションＣ−ＲＦ−ＷＲで実行されるこの種のアプリケーションは、たとえば、局所的および一時的なアクセス制御、情報および通信技術の装置（コンピュータ、映像電話／画像電話）へのアクセス、および、ＩＴアプリケーション（データベース、ネットワーク、暗号化手法）ならびにクレジットカード、チェックカードまたはバリューカードアプリケーションへのアクセスである。
【００７７】
非接触識別媒体の実際のアプリケーションの例は、秘匿対策の取られた部屋およびコンピュータ作業場所への局所アクセス（個人的ＩＴアクセス）、ネットワークおよび安全なデータベースへのアクセス、ショッピングセンターのキャッシュレジスタへのレジ係のアクセス、たとえばサービスステーションや自動食物販売機でのサービスおよび商品の取得、スポーツおよびレジャー施設、駐車用ビル、公共交通機関などへの複合的入場カードであってもよい。
【００７８】
好ましくは、設置または設置のシステムに好適である適切な認可システムが定義され、それは、すべてのアプリケーション（ＲＦ（Ｃ−Ａｐｐ）およびＲＦ−Ａｐｐ）をその中に含むすべての非接触識別媒体ＲＦ−ＩＭを少なくとも記録し管理する。加えて、接触媒体Ｃ−ＩＭの接触アプリケーションおよびこれらに属する読出／書込ステーションも、もちろん記録および管理されてもよい。
【００７９】
独立した、互いに影響を与えられないアプリケーションを有する非接触識別媒体ＲＦ−ＩＭの利用および説明を確実にする階層的な認可システムＡが定義され、アプリケーションの個別の所有者たちが非接触識別媒体ＲＦ−ＩＭにおいていつでも自発的にかつ独立して登録でき、変更もできる場合、アプリケーションに対して特別な利点が結果として生じる。
【００８０】
この種の認可システムＡはたとえば、非接触アプリケーションを有する非接触通信システムについてのＷＯ９７／３４２６５に記載されている。ここでは、すべての識別媒体およびすべての割当てられた読出／書込ステーションに適用可能である階層的な認可システムが定義されており、それによりすべての識別媒体は初期化されなければならず、それによりすべての独立したアプリケーションが互いに影響を与えられないことが確実となり、システムの所有者によって認可された独立したアプリケーションの所有者はいつでも自分のアプリケーションを新しい識別媒体に、および既に他の独立したアプリケーションを含む識別媒体に自発的に登録できる。これはシステムの所有者の中央ステーションの協定からも独立している。
【図面の簡単な説明】
【００８１】
【図１ａ】ホスト、接触カード読出／書込ステーション、接触カード、およびその間にある対応する接触通信とのインターフェイスを有するシステムの図である。
【図１ｂ】読出ステーションに統合されたアプリケーションコンピュータを有し、ホストへの一時的な接続を有する変形の図である。
【図２ａ】一方で初期化された非接触識別媒体と、他方で接触カード読出／書込ステーションと通信するための初期化されたコンバータモジュールを有する、この発明に従った補完物の図である。
【図２ｂ】読出ステーションに統合されたアプリケーションコンピュータを有し、ホストへの一時的な接続を有する変形の図である。
【図３ａ】非接触識別媒体と、およびホストへの接触インターフェイスと通信するためのコンバータモジュールを有する初期化された読出／書込ステーションの図である。
【図３ｂ】読出ステーションに統合されたアプリケーションコンピュータを有し、ホストへの一時的な接続を有する変形の図である。
【図４ａ】接触アプリケーションと、および非接触識別媒体内の非接触アプリケーションと通信するための読出／書込ステーションを有するシステムの図である。
【図４ｂ】読出ステーションに統合されたアプリケーションコンピュータを有し、ホストへの一時的な接続を有する変形の図である。
【図５ａ】接触カード読出／書込ステーションへのプラグインモジュールとしての、ＲＦ送信機／受信機を有するコンバータモジュールの構造の図である。
【図５ｂ】統合されたコンバータモジュールおよびアプリケーションコンピュータと、非接触アプリケーション用のさらなる非接触通信とを有する非接触読出／書込ステーションの構造の図である。
【図６】いくつかの独立したアプリケーションを有する割当てられた非接触識別媒体の図である。
【図７】非接触識別媒体へ登録するための接触アプリケーションの源の変形の図である。
【図８】非接触認可媒体によって接触アプリケーションを登録するための認可読出／書込ステーションの図である。
【図９】接触認可媒体によって接触アプリケーションを登録するための認可読出／書込ステーションの図である。
【図１０】内蔵認可要素によって接触アプリケーションを登録するための認可読出／書込ステーションの図である。
【図１１】アプリケーションコンピュータに統合されたコンバータモジュールの図である。
【図１２ａ】コンバータモジュールの、またはコンバータモジュールを有する読出／書込ステーションの初期化に対する可能性を示す図である。
【図１２ｂ】コンバータモジュールの、またはコンバータモジュールを有する読出／書込ステーションの初期化に対する可能性を示す図である。
【図１２ｃ】コンバータモジュールの、またはコンバータモジュールを有する読出／書込ステーションの初期化に対する可能性を示す図である。
【図１３】非接触識別媒体、コンバータモジュール、プラグインモジュールおよび読出／書込ステーションの初期化一般と、認可システムおよび下位認可システムの枠組みとを示す図である。
【図１４】接触アプリケーション、接触カード通信、接触媒体、コンバータモジュールおよび非接触識別媒体と、さらなる非接触アプリケーション、非接触通信および非接触読出ステーションとを有する設置の図である。
【符号の説明】
【００８２】
Ｃ−  接触−、ＲＦ−  非接触−、Ｃ−ＩＭ  接触カード、接触識別媒体（アプリケーション媒体）、ＲＦ−ＩＭ  非接触識別媒体（アプリケーション媒体）、Ｃ−ＲＦ  コンバータモジュール＝１＋２＋３、Ｃ−ＲＦ−ＷＲ  コンバータモジュールを有するＲＦ読出／書込ステーション、Ｃ−ＲＦ−Ｐｌｕｇ  Ｃ−ＷＲにおけるプラグインモジュールとしてのコンバータモジュール、Ｃ−ＷＲ  接触カード読出ステーションまたは読出／書込ステーション、ＲＦ−ＷＲ  非接触読出ステーションまたは読出／書込ステーション、Ｈ  ホストコンピュータ、Ｋ  通信、Ｉ  情報、Ｋ−Ｃ  接触通信、Ｉ−Ｃ  接触情報、Ｋ−ＲＦ  非接触通信、Ｉ−ＲＦ  非接触情報、ＲＦ−Ａｐｐ  ＲＦアプリケーション、Ｃ−Ａｐｐ  接触（カード）アプリケーション、ＲＦ（Ｃ−Ａｐｐ）  ＲＦ言語でのＣアプリケーション、Ａｐｐ−ｕＰ  アプリケーションコンピュータ、cryp  ＲＦ通信の暗号化、shad  ＲＦ−ＩＭ、Ｃ−ＲＦ−ＷＲにおけるシャドウメモリ、Ｓ  接触カードインターフェイス、Ｓ（ＲＦ）  非接触通信用インターフェイス、Ａ  認可システム、ＵＡ  下位認可システム、ＡＥ  認可要素、ＡＥ−ＲＦ  ＲＦ認可要素、ＡＥ−Ｃ  接触認可要素、Ａ−ＲＦ−ＩＭ  ＲＦ認可媒体、Ａ−Ｃ−ＩＭ  接触認可媒体、Ａ−Ｃ−ＲＦ−ＷＲ  認可読出／書込ステーション、Ａ−Ｉ  認可情報、Ａ−Ｉ−ＲＦ  ＲＦ認可情報、Ａ−Ｉ−Ｃ  Ｃ認可情報、ＫＷ  通信の種類（Ｃ、ＣｉまたはＲＦ）の選択用手段、Ｎ  ネットワーク、Ｉｎｉ  初期化、（Ｉｎｉ）  初期化された、Ｉｎｉ−Ｉ  初期化情報、Ｉｎｉ−Ａ−Ｉ  認可システムＡの範囲内のＩｎｉ−Ｉ、（Ｉｎｉ−Ａ）  Ａの範囲内で初期化された、（Ｉｎｉ−ＵＡ１）  ＵＡ１の範囲内で初期化された、Ｉｎｉ−ＲＦ−ＩＭ  非接触初期化識別媒体、Ｉｎｉ−Ｃ−ＩＭ  初期化接触媒体、１  Ｃ通信部、２  Ｃ／ＲＦ翻訳部、３  ＲＦ通信部、４  ＲＦ送信機／受信機（セット）、５  ＲＦアンテナ、６  Ｃ−ＷＲへの接点、７  Ｓへの配線、８  電源、９  エネルギ貯蔵部、１０  電力制御、増幅、１１  対話装置、１２  ディスプレイ、１３  入力キーボード、１４  生物測定学識別、センサ、１５  ＰＩＮコード、３１−３５  ＲＦ−ＩＭに関する拡張段階。
【国際公開パンフレット】
2004526242.tif 000003
2004526242.tif 000004
2004526242.tif 000005
2004526242.tif 000006
2004526242.tif 000007
2004526242.tif 000008
2004526242.tif 000009
2004526242.tif 000010
2004526242.tif 000011
2004526242.tif 000012
2004526242.tif 000013
2004526242.tif 000014
2004526242.tif 000015
2004526242.tif 000016
2004526242.tif 000017
2004526242.tif 000018
2004526242.tif 000019
2004526242.tif 000020
2004526242.tif 000021
2004526242.tif 000022
2004526242.tif 000023
2004526242.tif 000024
2004526242.tif 000025
2004526242.tif 000026
2004526242.tif 000027
2004526242.tif 000028
2004526242.tif 000029
2004526242.tif 000030
2004526242.tif 000031
2004526242.tif 000032
2004526242.tif 000033
2004526242.tif 000034
2004526242.tif 000035
2004526242.tif 000036
2004526242.tif 000037
2004526242.tif 000038
2004526242.tif 000039
2004526242.tif 000040
2004526242.tif 000041
2004526242.tif 000042
2004526242.tif 000043
2004526242.tif 000044
【国際調査報告】
2004526242.tif 000045
2004526242.tif 000046
2004526242.tif 000047
2004526242.tif 000048